(57)【要約】  大量の硬貨を取り扱うことができ、それでいて搬送構造を簡素化できて小型かつ安価に構成でき、硬貨詰まり等のトラブルの発生も低減できる硬貨処理装置11を提供する。  硬貨を入出金処理する入出金部13と、入出金部13に硬貨を補充するとともに入出金部13から硬貨を回収する補充回収部14を備える。入出金部13は、入出金搬送路25、入金繰出部31、複数の収納繰出部32および一時保留部38を備える。入金繰出部31、および複数の収納繰出部32のそれぞれは、水平方向に対して所定角度に傾斜する位置で回転する回転円盤60およびこの回転円盤60の表面側に硬貨を非整列状態で収納するホッパを備える。補充回収部14は、オーバーフロースタッカ91および硬貨カセット92を備えるとともに、オーバーフロースタッカ91および硬貨カセット92から繰り出す硬貨を入出金部13に搬送する補充搬送路93を備える。
2009130774.tif 000002
【特許請求の範囲】
【請求項１】
硬貨処理装置において、
硬貨の入出金を処理する入出金部、およびこの入出金部に硬貨を補充するとともに入出金部から硬貨を回収する補充回収部を具備し、
前記入出金部は、
硬貨を搬送する入出金搬送路と、
機体外から硬貨を受け入れ、前記入出金搬送路で搬送されてくる硬貨を機体外に払い出す入出金口と、
水平方向に対して所定角度に傾斜する位置で回転する回転円盤およびこの回転円盤の表面側に硬貨を非整列状態で収納するホッパを備え、前記入出金口から受け入れた硬貨を受収し、前記回転円盤の回転により硬貨を１枚ずつ前記入出金搬送路へ繰り出す入金繰出部と、
前記入出金搬送路で搬送する硬貨を識別する識別部と、
前記入金繰出部から繰り出されて前記識別部で正常硬貨と識別された硬貨を前記入出金搬送路から受け入れて収納する一時保留部と、
水平方向に対して所定角度に傾斜する位置で回転する回転円盤およびこの回転円盤の表面側に硬貨を非整列状態で収納するホッパを備え、硬貨収納指令時に前記一時保留部から送り出されて前記入出金搬送路で搬送する硬貨を前記識別部での識別結果に応じて前記入出金搬送路から受け入れて収納するとともに、硬貨出金指令時に前記回転円盤の回転により硬貨を１枚ずつ前記入出金搬送路へ繰り出す複数の収納繰出部とを備え、
前記補充回収部は、
収納している硬貨を繰出可能とするとともに、前記入出金部から送り込まれる硬貨を収納可能とする硬貨収納部と、
この硬貨収納部から繰り出される硬貨を前記入出金部へ搬送する補充搬送路とを備えている
ことを特徴とする硬貨処理装置。
【請求項２】
前記一時保留部は、前記入金繰出部より上方に位置し、前記硬貨収納指令時に硬貨を前記入金繰出部へ送り出す
ことを特徴とする請求項１記載の硬貨処理装置。
【請求項３】
前記一時保留部は、水平方向に対して所定角度に傾斜する位置で回転する回転円盤およびこの回転円盤の表面側に硬貨を非整列状態で収納するホッパを備え、前記硬貨収納指令時に前記回転円盤の回転により硬貨を１枚ずつ前記入出金搬送路へ繰り出す
ことを特徴とする請求項１記載の硬貨処理装置。
【請求項４】
前記硬貨収納部は、
前記機体に固定配置され、前記硬貨収納指令時に前記一時保留部から送り出されて前記入出金搬送路で搬送する硬貨のうち前記収納繰出部が満杯となった金種の硬貨を前記識別部での識別結果に応じて前記入出金搬送路から受け入れて収納するとともに、収納した硬貨を繰出可能とするオーバーフロースタッカと、
前記機体に着脱可能に配置され、収納されている硬貨を繰出可能とするとともに、前記機体内から回収する硬貨を収納可能とする硬貨カセットとを備えている
ことを特徴とする請求項１記載の硬貨処理装置。
【請求項５】
前記硬貨収納部は、硬貨を非整列状態で収納し、硬貨を収納する空間の底部を構成するベルトの回転によって硬貨を前記補充搬送路へ繰出可能とする
ことを特徴とする請求項１記載の硬貨処理装置。
【請求項６】
前記補充回収部は、前記入出金部の下側に配置され、
前記補充搬送路は、前記硬貨収納部から繰り出される硬貨を受け入れて横方向へ搬送する横搬送部、およびこの横搬送部から補充硬貨を上方に搬送する縦搬送部を備えている
ことを特徴とする請求項１記載の硬貨処理装置。
【請求項７】
前記補充搬送路の縦搬送部は、前記入出金部の側部に位置し、前記入出金部との間を解放可能とする
ことを特徴とする請求項６記載の硬貨処理装置。
【請求項８】
前記硬貨収納部は、前記入出金部の前記識別部で正常硬貨と識別されなかったリジェクト硬貨を収納するリジェクトボックスを備えている
ことを特徴とする請求項１記載の硬貨処理装置。
【請求項９】
前記リジェクトボックスは、入出金運用時のリジェクト硬貨を収納する運用リジェクトボックスと、補充時のリジェクト硬貨を収納する補充リジェクトボックスとを備えている
ことを特徴とする請求項８記載の硬貨処理装置。
【請求項１０】
前記硬貨カセットは、入出金運用時に前記入出金部の前記識別部で正常硬貨と識別されなかったリジェクト硬貨を収納する運用リジェクトボックスと、補充時に前記入出金部の前記識別部で正常硬貨と識別されなかったリジェクト硬貨を収納する補充リジェクトボックスとを備え、これら運用リジェクトボックスおよび補充リジェクトボックスが前記硬貨カセットと一体に前記機体に着脱可能としている
ことを特徴とする請求項４記載の硬貨処理装置。
【請求項１１】
前記オーバーフロースタッカは、入出金運用時に前記入出金部の前記識別部で正常硬貨と識別されなかったリジェクト硬貨を収納する運用リジェクトボックスと、補充時に前記入出金部の前記識別部で正常硬貨と識別されなかったリジェクト硬貨を収納する補充リジェクトボックスとを備え、これら運用リジェクトボックスおよび補充リジェクトボックスが前記機体から着脱可能としている
ことを特徴とする請求項１０記載の硬貨処理装置。
【請求項１２】
前記オーバーフロースタッカは、前記入出金口に出金して取り出されない取り忘れ硬貨を収納する取り忘れボックスと、硬貨を収納可能とする予備ボックスとを備え、これら取り忘れボックスおよび予備ボックスが前記機体から着脱可能としている
ことを特徴とする請求項１０記載の硬貨処理装置。
【発明の詳細な説明】
【技術分野】
【０００１】
本発明は、硬貨の入出金を処理する硬貨処理装置に関する。
【背景技術】
【０００２】
従来、硬貨の入出金を処理する硬貨処理装置としては、例えばＡＴＭ（Auto Tellers Machine）やＣＤ（Cash Dispenser）に用いられる硬貨処理装置がある。【０００３】
この硬貨処理装置では、入金処理時において、入金口から投入された硬貨を入金繰出部に受け入れて１枚ずつ搬送路へ繰り出し、搬送路で硬貨を搬送しながら識別部で識別し、正常と識別された硬貨は金種別の一時保留部または一括一時保留部に一時保留し、入金承認による硬貨収納指令時に金種別の一時保留部の硬貨を金種別の収納繰出部に収納し、一括一時保留部の硬貨を回収部に収納している。また、出金処理時において、出金情報に応じて、金種別の収納繰出部から１枚ずつ繰り出される硬貨を入金繰出部に送り込み、入金繰出部から硬貨を１枚ずつ搬送路へ繰り出し、搬送路で硬貨を出金口に搬送して出金している（例えば、特許文献１参照。）。【０００４】
ところで、小売りの店舗等では、多数のレジスタから回収される売上金を入金計数したり、各レジスタに予め用意する釣銭準備金を準備する必要があり、これら入金機能と釣銭準備金の出金機能とを備えるとともに硬貨詰まり等のトラブルが少なく容易に運用できる硬貨処理装置が求められている。【０００５】
このような店舗等での要望に対し、従来のＡＴＭ等に用いられる硬貨処理装置では、硬貨の入出金取引量を少量ずつしか想定していない構造であるため、一度に取り扱うことができる硬貨量が少なく、大量の硬貨の入出金が必要な店舗等の硬貨処理装置には適さない。しかも、金種別の一時保留部および収納繰出部には、硬貨を筒内に重積収納し、筒内から硬貨を繰り出す構成が多く用いられているが、筒内で硬貨が立った状態となり、硬貨詰まりのトラブルが発生しやすい。【０００６】
また、大量の硬貨を取り扱い可能な硬貨処理装置としては、銀行等の金融機関で利用されている硬貨入出金機が存在するが、この硬貨入出金機では、大型かつ高価なもので、搬送路等が複雑で硬貨詰まりの解消などが難しくなり、店舗等での使用には適さない。
【特許文献１】特開２００７−４６４０号公報（第１８−２０頁、図１）
【発明の開示】
【発明が解決しようとする課題】
【０００７】
小売りの店舗等では、多数のレジスタから回収される売上金を入金計数したり、各レジスタに予め用意する釣銭準備金を準備できるように、大量の硬貨の入金機能と出金機能とを備えるとともに、硬貨詰まり等のトラブルが少なく容易に運用できる硬貨処理装置が要望されているが、従来のＡＴＭ等に用いられる硬貨処理装置や、銀行等の金融機関で利用されている硬貨入出金機では対応できなかった。【０００８】
本発明は、このような点に鑑みなされたもので、一度に大量の硬貨を取り扱うことができ、それでいて搬送構造を簡素化できて小型かつ安価に構成でき、硬貨詰まり等のトラブルの発生も低減できる硬貨処理装置を提供することを目的とする。
【課題を解決するための手段】
【０００９】
請求項１記載の硬貨処理装置は、硬貨処理装置において、硬貨の入出金を処理する入出金部、およびこの入出金部に硬貨を補充するとともに入出金部から硬貨を回収する補充回収部を具備し、前記入出金部は、硬貨を搬送する入出金搬送路と、機体外から硬貨を受け入れ、前記入出金搬送路で搬送されてくる硬貨を機体外に払い出す入出金口と、水平方向に対して所定角度に傾斜する位置で回転する回転円盤およびこの回転円盤の表面側に硬貨を非整列状態で収納するホッパを備え、前記入出金口から受け入れた硬貨を受収し、前記回転円盤の回転により硬貨を１枚ずつ前記入出金搬送路へ繰り出す入金繰出部と、前記入出金搬送路で搬送する硬貨を識別する識別部と、前記入金繰出部から繰り出されて前記識別部で正常硬貨と識別された硬貨を前記入出金搬送路から受け入れて収納する一時保留部と、水平方向に対して所定角度に傾斜する位置で回転する回転円盤およびこの回転円盤の表面側に硬貨を非整列状態で収納するホッパを備え、硬貨収納指令時に前記一時保留部から送り出されて前記入出金搬送路で搬送する硬貨を前記識別部での識別結果に応じて前記入出金搬送路から受け入れて収納するとともに、硬貨出金指令時に前記回転円盤の回転により硬貨を１枚ずつ前記入出金搬送路へ繰り出す複数の収納繰出部とを備え、前記補充回収部は、収納している硬貨を繰出可能とするとともに、前記入出金部から送り込まれる硬貨を収納可能とする硬貨収納部と、この硬貨収納部から繰り出される硬貨を前記入出金部へ搬送する補充搬送路とを備えているものである。【００１０】
請求項２記載の硬貨処理装置は、請求項１記載の硬貨処理装置において、前記一時保留部は、前記入金繰出部より上方に位置し、前記硬貨収納指令時に硬貨を前記入金繰出部へ送り出すものである。【００１１】
請求項３記載の硬貨処理装置は、請求項１記載の硬貨処理装置において、前記一時保留部は、水平方向に対して所定角度に傾斜する位置で回転する回転円盤およびこの回転円盤の表面側に硬貨を非整列状態で収納するホッパを備え、前記硬貨収納指令時に前記回転円盤の回転により硬貨を１枚ずつ前記入出金搬送路へ繰り出すものである。【００１２】
請求項４記載の硬貨処理装置は、請求項１記載の硬貨処理装置において、前記硬貨収納部は、前記機体に固定配置され、前記硬貨収納指令時に前記一時保留部から送り出されて前記入出金搬送路で搬送する硬貨のうち前記収納繰出部が満杯となった金種の硬貨を前記識別部での識別結果に応じて前記入出金搬送路から受け入れて収納するとともに、収納した硬貨を繰出可能とするオーバーフロースタッカと、前記機体に着脱可能に配置され、収納されている硬貨を繰出可能とするとともに、前記機体内から回収する硬貨を収納可能とする硬貨カセットとを備えているものである。【００１３】
請求項５記載の硬貨処理装置は、請求項１記載の硬貨処理装置において、前記硬貨収納部は、硬貨を非整列状態で収納し、硬貨を収納する空間の底部を構成するベルトの回転によって硬貨を前記補充搬送路へ繰出可能とするものである。【００１４】
請求項６記載の硬貨処理装置は、請求項１記載の硬貨処理装置において、前記補充回収部は、前記入出金部の下側に配置され、前記補充搬送路は、前記硬貨収納部から繰り出される硬貨を受け入れて横方向へ搬送する横搬送部、およびこの横搬送部から補充硬貨を上方に搬送する縦搬送部を備えているものである。【００１５】
請求項７記載の硬貨処理装置は、請求項６記載の硬貨処理装置において、前記補充搬送路の縦搬送部は、前記入出金部の側部に位置し、前記入出金部との間を解放可能とするものである。【００１６】
請求項８記載の硬貨処理装置は、請求項１記載の硬貨処理装置において、前記硬貨収納部は、前記入出金部の前記識別部で正常硬貨と識別されなかったリジェクト硬貨を収納するリジェクトボックスを備えているものである。【００１７】
請求項９記載の硬貨処理装置は、請求項８記載の硬貨処理装置において、前記リジェクトボックスは、入出金運用時のリジェクト硬貨を収納する運用リジェクトボックスと、補充時のリジェクト硬貨を収納する補充リジェクトボックスとを備えているものである。【００１８】
請求項１０記載の硬貨処理装置は、請求項４記載の硬貨処理装置において、前記硬貨カセットは、入出金運用時に前記入出金部の前記識別部で正常硬貨と識別されなかったリジェクト硬貨を収納する運用リジェクトボックスと、補充時に前記入出金部の前記識別部で正常硬貨と識別されなかったリジェクト硬貨を収納する補充リジェクトボックスとを備え、これら運用リジェクトボックスおよび補充リジェクトボックスが前記硬貨カセットと一体に前記機体に着脱可能としているものである。【００１９】
請求項１１記載の硬貨処理装置は、請求項１０記載の硬貨処理装置において、前記オーバーフロースタッカは、入出金運用時に前記入出金部の前記識別部で正常硬貨と識別されなかったリジェクト硬貨を収納する運用リジェクトボックスと、補充時に前記入出金部の前記識別部で正常硬貨と識別されなかったリジェクト硬貨を収納する補充リジェクトボックスとを備え、これら運用リジェクトボックスおよび補充リジェクトボックスが前記機体から着脱可能としているものである。【００２０】
請求項１２記載の硬貨処理装置は、請求項１０記載の硬貨処理装置において、前記オーバーフロースタッカは、前記入出金口に出金して取り出されない取り忘れ硬貨を収納する取り忘れボックスと、硬貨を収納可能とする予備ボックスとを備え、これら取り忘れボックスおよび予備ボックスが前記機体から着脱可能としているものである。
【発明の効果】
【００２１】
請求項１記載の硬貨処理装置によれば、入金繰出部、および複数の収納繰出部のそれぞれに、水平方向に対して所定角度に傾斜する位置で回転する回転円盤およびこの回転円盤の表面側に硬貨を非整列状態で収納するホッパを備え、入出金搬送路から硬貨を受け入れたり回転円盤の回転によって硬貨を１枚ずつ入出金搬送路へ繰り出す構成を用いたため、一度に大量の硬貨を取り扱うことができ、それでいて搬送構造が簡素化できて小型かつ安価に構成でき、硬貨詰まり等のトラブルの発生も低減でき、また、補充回収部から硬貨を入出金部に補充でき、大量の出金にも対応できるとともに、入出金部から送り込まれる硬貨も収納したり回収でき、大量の硬貨の取扱いに対応できる。【００２２】
請求項２記載の硬貨処理装置によれば、請求項１記載の硬貨処理装置の効果に加えて、一時保留部は、入金繰出部より上方に位置し、硬貨収納指令時には硬貨を入金繰出部へ放出するだけでよいため、一時保留部の構成を簡単にできる。【００２３】
請求項３記載の硬貨処理装置によれば、請求項１記載の硬貨処理装置の効果に加えて、一時保留部に、水平方向に対して所定角度に傾斜する位置で回転する回転円盤およびこの回転円盤の表面側に硬貨を非整列状態で収納するホッパを備え、入出金搬送路から硬貨を受け入れたり回転円盤の回転によって硬貨を１枚ずつ入出金搬送路へ繰り出す構成を用いたため、一度に大量の硬貨を取り扱うことができ、それでいて搬送構造が簡素化できて小型かつ安価に構成でき、硬貨詰まり等のトラブルの発生も低減できる。【００２４】
請求項４記載の硬貨処理装置によれば、請求項１記載の硬貨処理装置の効果に加えて、補充回収部の硬貨収納部には、機体に固定配置されるオーバーフロースタッカと、機体に着脱可能に配置される硬貨カセットとを備え、収納繰出部が満杯となった金種の硬貨の収納やこの収納した硬貨の補充にオーバーフロースタッカを用いることができ、外部からの硬貨の補充や機体内からの硬貨の回収に硬貨カセットを用いることができ、適宜使い分けることができる。【００２５】
請求項５記載の硬貨処理装置によれば、請求項１記載の硬貨処理装置の効果に加えて、補充回収部の硬貨収納部は、硬貨を非整列状態で収納し、硬貨を収納する空間の底部を構成するベルトの回転によって硬貨を補充搬送路へ繰出可能とするため、大量の硬貨の取り扱いに対応できる。【００２６】
請求項６記載の硬貨処理装置によれば、請求項１記載の硬貨処理装置の効果に加えて、補充搬送路では、硬貨収納部から繰り出される硬貨を横搬送部に受け入れて縦搬送部で上方に搬送するため、硬貨を入金繰出部に落下させて送り込むことが可能となり、搬送構造を簡素化できる。【００２７】
請求項７記載の硬貨処理装置によれば、請求項６記載の硬貨処理装置の効果に加えて、入出金部の側部に位置する補充搬送路の縦搬送部は、入出金部との間を解放可能とするため、入出金部でのトラブル発生時の対応を容易にできる。【００２８】
請求項８記載の硬貨処理装置によれば、請求項１記載の硬貨処理装置の効果に加えて、補充回収部の硬貨収納部がリジェクト硬貨を収納するリジェクトボックスを備えるため、大量の硬貨の取扱いに対応できる。【００２９】
請求項９記載の硬貨処理装置によれば、請求項８記載の硬貨処理装置の効果に加えて、リジェクトボックスとして、入出金運用時のリジェクト硬貨を収納する運用リジェクトボックスと、補充時のリジェクト硬貨を収納する補充リジェクトボックスとを備え、入出金運用時と補充時とでリジェクト硬貨を区別して管理できる。【００３０】
請求項１０記載の硬貨処理装置によれば、請求項４記載の硬貨処理装置の効果に加えて、硬貨カセットが、入出金運用時のリジェクト硬貨を収納する運用リジェクトボックスと、補充時のリジェクト硬貨を収納する補充リジェクトボックスとを備え、これら運用リジェクトボックスおよび補充リジェクトボックスが硬貨カセットと一体に機体に着脱可能とし、入出金運用時と補充時とでリジェクト硬貨を区別して管理できるとともに、リジェクト硬貨の取扱い方法を自由に選択できる。【００３１】
請求項１１記載の硬貨処理装置によれば、請求項１０記載の硬貨処理装置の効果に加えて、オーバーフロースタッカが、入出金運用時のリジェクト硬貨を収納する運用リジェクトボックスと、補充時のリジェクト硬貨を収納する補充リジェクトボックスとを備え、これら運用リジェクトボックスおよび補充リジェクトボックスが機体から分離可能とし、入出金運用時と補充時とでリジェクト硬貨を区別して管理できるとともに、リジェクト硬貨の取扱い方法を自由に選択できる。【００３２】
請求項１２記載の硬貨処理装置によれば、請求項１０記載の硬貨処理装置の効果に加えて、オーバーフロースタッカが、入出金口に出金して取り出されない取り忘れ硬貨を収納する取り忘れボックスと、硬貨を収納可能とする予備ボックスとを備え、これら取り忘れボックスおよび予備ボックスが機体から分離可能としているため、取り忘れ硬貨を区別して管理できるとともに、予備ボックスを任意に設定可能な所定の硬貨の収納に利用可能できる。
【図面の簡単な説明】
【００３３】
【図１】本発明の第１の実施の形態を示すものであって、硬貨処理装置の内部構造を示す側面図である。
【図２】同上硬貨処理装置の内部構造を示す正面図である。
【図３】同上硬貨処理装置の入金繰出部を示す側面図である。
【図４】同上入金繰出部の断面図である。
【図５】同上硬貨処理装置の入金処理を示し、(a)は入金硬貨の計数一時保留動作を示す説明図、(b)は異物返却動作を示す説明図、(c)は一時保留した硬貨の収納動作を示す説明図、(d)は一時保留した硬貨の返却動作を示す説明図である。
【図６】同上硬貨処理装置の出金処理を示し、(a)は硬貨の計数出金動作を示す説明図、(b)は正常硬貨と識別されなかった硬貨の戻し動作を示す説明図、(c)は取り忘れ硬貨の回収動作を示す説明図である。
【図７】同上硬貨処理装置のオーバーフロースタッカからの補充処理を示す説明図である。
【図８】同上硬貨処理装置の硬貨カセットからの補充処理を示し、(a)は硬貨の補充動作を示す説明図、(b)は正常硬貨と識別されなかった硬貨の再識別動作を示す説明図である。
【図９】同上硬貨処理装置の入出金口からの補充処理を示し、(a)は硬貨の計数一時保留動作を示す説明図、(b)は硬貨の補充動作を示す説明図である。
【図１０】同上硬貨処理装置の収納繰出部からの回収処理を示し、(a)は収納繰出部から入金繰出部への硬貨の移動動作を示す説明図、(b)は入金繰出部から硬貨カセットへの硬貨の回収動作を示す説明図である。
【図１１】同上硬貨処理装置のオーバーフロースタッカからの回収処理を示し、(a)はオーバーフロースタッカから硬貨カセットへの硬貨の回収動作を示す説明図、(b)は正常硬貨と識別されなかった硬貨の再識別動作を示す説明図である。
【図１２】同上硬貨処理装置の収納繰出部の精査処理を示し、(a)は収納繰出部から入金繰出部への硬貨の移動動作を示す説明図、(b)は入金繰出部から収納繰出部への硬貨の戻し動作を示す説明図である。
【図１３】同上硬貨処理装置のオーバーフロースタッカの精査処理を示し、(a)はオーバーフロースタッカから硬貨カセットへの硬貨の移動動作を示す説明図、(b)は硬貨カセットからオーバーフロースタッカへ硬貨の戻し動作を示す説明図である。
【図１４】本発明の第２の実施の形態を示すものであって、硬貨処理装置の内部構造を示す側面図である。
【図１５】同上硬貨処理装置の内部構造を示す正面図である。
【図１６】同上硬貨処理装置の入金処理を示し、(a)は入金硬貨の計数一時保留動作を示す説明図、(b)は異物返却動作を示す説明図、(c)は一時保留した硬貨の収納動作を示す説明図、(d)は一時保留した硬貨の返却動作を示す説明図、(e)は(d)の返却動作に続く返却動作を示す説明図である。
【図１７】同上硬貨処理装置の出金処理を示し、(a)は硬貨の計数出金動作を示す説明図、(b)は正常硬貨と識別されなかった硬貨の戻し動作を示す説明図、(c)は取り忘れ硬貨の回収動作を示す説明図、(d)は(c)に続く取り忘れ硬貨の回収動作を示す説明図である。
【図１８】同上硬貨処理装置の補充動作を示し、(a)はオーバーフロースタッカからの補充処理を示す説明図、(b)は硬貨カセットからの補充処理を示す説明図、(c)は入出金口からの硬貨の補充動作を示す説明図、(d)は(c)に続く入出金口からの硬貨の補充動作を示す説明図である。
【図１９】同上硬貨処理装置の回収処理を示し、(a)は収納繰出部からの回収動作を示す説明図、(b)は(a)に続く収納繰出部からの回収動作を示す説明図、(c)はオーバーフロースタッカからの回収動作を示す説明図である。
【図２０】同上硬貨処理装置の精査処理を示し、(a)は収納繰出部の精査動作を示す説明図、(b)は(a)に続く収納繰出部の精査動作を示す説明図、(c)はオーバーフロースタッカの精査動作を示す説明図、(d)は(c)に続くオーバーフロースタッカの精査硬貨を示す説明図である。
【符号の説明】
【００３４】
11    硬貨処理装置
12    機体
13    入出金部
14    補充回収部
21    入出金口
25    入出金搬送路
31    入金繰出部
32    収納繰出部
33    識別部
38    一時保留部
60    回転円盤
61    ホッパ
91    硬貨収納部としてのオーバーフロースタッカ
92    硬貨収納部としての硬貨カセット
93    補充搬送路
97，100    ベルト
102，104    リジェクトボックスとしての運用リジェクトボックス
103，105    リジェクトボックスとしての補充リジェクトボックス
108    横搬送部
109    縦搬送部
127   取り忘れボックス
128   予備ボックス
【発明を実施するための最良の形態】
【００３５】
以下、本発明の実施の形態を、図面を参照して説明する。【００３６】
図１ないし図１３に第１の実施の形態を示す。【００３７】
図１および図２に示すように、硬貨処理装置11は、機体12を備え、この機体12内の上部には硬貨の入出金を処理する入出金部13が配設され、機体12内の下部には入出金部13に硬貨を補充するとともに入出金部13から硬貨を受け入れる補充回収部14が配設されている。入出金部13および補充回収部14は、メンテナンス時や硬貨詰まり等のエラー発生時に鍵による解錠操作によって機体12から前方または後方に引き出し可能とする。【００３８】
機体12の前側上面には、入金する硬貨を受け入れ、内部から送り出される硬貨を払い出す入出金口21が設けられている。機体12の前面には、入金する硬貨と一緒に混入した異物等を返却する異物返却口22が設けられている。【００３９】
入出金口21の下側には硬貨を受収する受皿23が配置され、この受皿23の反転によって受収した硬貨を下方へ放出可能としている。【００４０】
入出金部13内には、前面から見て上部が左側方向に所定角度で傾斜するベース24が配設され、このベース24の上方に臨む表面側に硬貨を搬送する入出金搬送路25が配設されている。この入出金搬送路25は、機体12の前後方向に略水平に設けられる第１の搬送路部26、この第１の搬送路部26の上方で機体12の前後方向に略水平に設けられる第２の搬送路部27、これら第１の搬送路部26と第２の搬送路部27との後部間を上下方向に接続する第３の搬送路部28、および第１の搬送路部26と第２の搬送路部27との前部間を上下方向に接続する第４の搬送路部29を備え、環状に形成されている。ここで、第１の搬送路部26から第３の搬送路部28および第２の搬送路部27へ向けて硬貨を搬送する方向を第１の搬送方向であって入金搬送方向F1と呼び、逆に、第２の搬送路部27から第３の搬送路部28、第１の搬送路部26および第４の搬送路部29へ向けて硬貨を搬送する方向を第２の搬送方向であって出金搬送方向F2と呼ぶ。【００４１】
入出金搬送路25の第１の搬送路部26の前側に入金繰出部31が接続配置され、この第１の搬送路部26の入金繰出部31より後側および第２の搬送路部27に金種別の複数の収納繰出部32が接続配置されている。入金繰出部31は、入出金搬送路25内を出金搬送方向F2に搬送する硬貨を分岐して受け入れ可能とするとともに入出金搬送路25に対して入金搬送方向F1に繰り出し可能とする。複数の収納繰出部32は、入出金搬送路25内を入金搬送方向F1に搬送する硬貨を分岐して受け入れ可能とするとともに入出金搬送路25に対して出金搬送方向F2に繰り出し可能とする。【００４２】
入金繰出部31は、入出金口21および受皿23の下方に位置し、受皿23から放出される硬貨を図示しないシュートを通じて受収可能とする。【００４３】
入出金搬送路25の第１の搬送路部26には、入金繰出部31と収納繰出部32との間に、搬送する硬貨の少なくとも金種、真偽、正損などを適宜選択して識別する識別部33が配設されている。【００４４】
入出金搬送路25の第１の搬送路部26には、最前部の収納繰出部32とその後側の収納繰出部32との間に入金搬送方向F1に搬送する硬貨を分岐可能とするオーバーフロー通路34および回収通路35が接続されている。これらオーバーフロー通路34および回収通路35の下部は補充回収部14に接続されている。【００４５】
入出金搬送路25の第２の搬送路部27には、最前部の収納繰出部32の前側に入金搬送方向F1に搬送する硬貨を分岐可能とする一時保留通路36が接続され、この一時保留通路36に硬貨を振り分け可能とする取り忘れ通路37が接続されている。【００４６】
一時保留通路36の下部は、硬貨を非整列状態で一括して一時保留するとともに、一時保留した硬貨を図示しないシュートを介して入金繰出部31に放出可能とする一時保留部38が接続されている。【００４７】
取り忘れ通路37の下部は、機体12から着脱可能な取り忘れボックス39に接続されている。【００４８】
また、入出金搬送路25は、ベース24の表面に形成されていて硬貨の面が接する通路面41、およびこの通路面41の両側で硬貨の周縁をガイドする両側のガイド部42を備えている。さらに、入出金搬送路25内の硬貨を搬送する無端状の搬送体としてのベルト43が複数のプーリ44によって掛け回されている。【００４９】
図３に示すように、通路面41に対向するベルト43の面からは複数のピン45がベルト長手方向に所定のピッチで突設され、隣り合う２つのピン45の間に硬貨（図面には符号Ｃで示す）を受け入れ、ベルト43の回転によりピン45で硬貨を押動させながら搬送する。【００５０】
そして、ベルト43は、図示しないモータの駆動により、入金搬送方向F1および出金搬送方向F2の双方向に正逆転し、入出金搬送路25内の硬貨を正逆双方向へ搬送可能としている。【００５１】
また、図１に示すように、入出金搬送路25には、入金繰出部31および各収納繰出部32の接続部分に、入金繰出部31、および各収納繰出部32と入出金搬送路25との間で硬貨を出し入れするかベルト43で搬送する硬貨を搬送方向下流側へ通過させるかに応じて選択的に振り分ける振分部材47が配設されている。さらに、入出金搬送路25には、オーバーフロー通路34、回収通路35、および一時保留通路36の接続部分に、入出金搬送路25から各通路34，35，36に硬貨を取り込むかベルト43で搬送する硬貨を搬送方向下流側へ通過させるかに応じて選択的に振り分ける振分部材47が配設されている。なお、各振分部材は、向き等に違いがあるだけで、硬貨を振り分ける基本構造および動作は同一となっている。【００５２】
図３には、入金繰出部31の振分部材47を示す。この振分部材47は、硬貨を案内する案内部48と、入金繰出部31の硬貨出入口を閉塞して硬貨の侵入を阻止する閉塞部49と、これら案内部48および閉塞部49を揺動可能に支持する支持部50を一体に備えている。【００５３】
案内部48は、入出金搬送路25に対して硬貨をスムーズに出し入れ可能とするように凹曲面状に設けられている。【００５４】
閉塞部49には、入金繰出部31の硬貨出入口を閉塞する状態のときに、下側のガイド部42と同一面となって硬貨の周縁をガイドするガイド面51が設けられている。【００５５】
支持部50は、入出金搬送路25の幅方向の軸を支点として回動可能とし、ソレノイドなどの電気的駆動手段で回動される。そして、硬貨を入出金搬送路25から入金繰出部31へ振り分けるとき、および硬貨を入金繰出部31から入出金搬送路25へ繰り出すときには、案内部48が入出金搬送路25の通路面41より突出するとともに閉塞部49が入金繰出部31の硬貨出入口を開放状態とした硬貨振分位置に振分部材47が位置する。一方、硬貨を入出金搬送路25から入金繰出部31へ振り分けない、および硬貨を入金繰出部31から入出金搬送路25へ繰り出さないときには、案内部48が入出金搬送路25の通路面41に埋没するとともに閉塞部49が入出金搬送路25の硬貨出入口を閉塞状態とした硬貨通過位置に振分部材47が位置する。入出金搬送路25の通路面41には、案内部48が出没するための開口部が形成されている。振分部材47の案内部48には入出金搬送路25より突出したときにベルト43との干渉を避ける溝部52が形成されている。【００５６】
なお、各収納繰出部32用、および各通路34，35，36用の各振分部材47は、上述したように向きが異なるだけで入金繰出部31用の振分部材47と基本的に同様に構成され、電気的駆動手段で駆動される。【００５７】
また、図３および図４に示すように、入金繰出部31は、水平方向に対して所定角度で傾斜する位置で回転軸59を中心に回転可能な回転円盤60、この回転円盤60の表面側との間で硬貨を貯留するホッパ61、および入金繰出部31の硬貨出入口の近傍に配置される受渡し円盤62などを備えている。【００５８】
回転円盤60は、機体12側に回転可能に取り付けられた回転軸59により、機体12の前面から見て、水平方向に対して右方向に傾斜していて、回転円盤60の左側が高く、右側が低く、回転円盤60の表面が機体12の右斜め上方に対向するように配設されている。回転円盤60は、ベルト43や受渡し円盤62と連動して、硬貨を入出金搬送路25へ繰り出す繰出回転方向（図６の矢印方向）にモータで回転駆動する。回転円盤60は、硬貨詰まりの発生時にその硬貨詰まりの解消のために繰出回転方向と反対の反繰出回転方向に回転駆動可能としてもよい。【００５９】
回転円盤60の表面には、中央域に円形の高位部64が形成され、この高位部64の外周域に環状の低位部65が形成されている。回転円盤60の高位部64と低位部65との間には、処理する硬貨のうちの最小硬貨厚みより少し小さい寸法で、硬貨の周縁が厚み方向に１枚載る段差部66が形成されている。【００６０】
低位部65には、回転円盤60の表面から突出する複数の拾上部材67が、内周側の円周方向と外周側の円周方向との２列の円周方向に沿って所定ピッチで配置されている。そして、回転円盤60の繰出回転方向への回転時に、内周側の各拾上部材67が段差部66との間で硬貨を１枚ずつ保持して回転円盤60の上部域に拾い上げ、外周側の各拾上部材67が内周側の各拾上部材67で回転円盤60の上部域に拾い上げた硬貨を入金繰出部31の硬貨出入口へ向けて押し出すとともに受渡し円盤62に受け渡すように構成されている。【００６１】
段差部66は、各拾上部材67との間で硬貨を１枚ずつ保持可能とする各位置毎に設けられている。したがって、円周方向に複数の段差部66が設けられている。これら段差部66の間には、高位部64と低位部65との段差を傾斜面として、拾上部材67と段差部66とで保持されない硬貨を下方へ滑落させる滑落部68が形成されている。【００６２】
回転円盤60の上部域には、拾上部材67で回転円盤60の上部域に拾い上げた硬貨を入金繰出部31の硬貨出入口へ向けて繰り出す案内通路69が形成されている。この案内通路69は、回転円盤60の表面と面一であって入出金搬送路25に連続した通路面41と、上下のガイド部材70，71との間に形成されている。【００６３】
上側のガイド部材70は、回転円盤60の上部域から入金繰出部31の硬貨出入口の一方の縁部側にかけて、回転円盤60および通路面41の表面より突出して設けられている。【００６４】
下側のガイド部材71は、低位部65の表面に硬貨が入り込まない間隙をあけて対向した状態で、段差部66側から入金繰出部31の硬貨出入口の他方の縁部側にわたって設けられている。このガイド部材71の案内通路69内に臨む内縁は、振分部材47の案内部48に連続する曲面に形成されている。ガイド部材71の低位部65に対向する面には、回転移動する各拾上部材67が通過する溝部72が形成されている。そして、ガイド部材71により、拾上部材67で拾い上げた硬貨を段差部66から受け取って入金繰出部31の硬貨出入口へ案内するように構成されている。【００６５】
また、ホッパ61は、回転円盤60の表面側に対向して覆うとともに上方から硬貨を受け入れ可能に上方に向けて開口された形状に形成されている。【００６６】
ホッパ61の下部には、排出口76が形成され、この排出口76に排出ゲート77が上部側の軸78を支点として開閉可能に取り付けられている。排出ゲート77は、軸78を介してモータやソレノイド等のゲート駆動部により開閉駆動される。【００６７】
また、受渡し円盤62は、案内通路69と入出金搬送路25とにまたがった位置に、受渡し円盤62の表面が通路面41と面一となるように回転可能に配置されている。受渡し円盤62の外周縁部には、硬貨に当接して回転円盤60側から入出金搬送路25側へ繰り出す突起80が突設されている。【００６８】
受渡し円盤62は、入出金搬送路25のベルト43と連動して回転し、ベルト43が入金搬送方向F1に移動するときには、突起80が入金繰出部31の硬貨出入口から入出金搬送路25内へ移動する繰出回転方向であって、突起80で硬貨を回転円盤60側から入出金搬送路25へ繰り出す繰出回転方向に回転し、また、ベルト43が出金搬送方向F2に移動するときには、突起80が入出金搬送路25側から入金繰出部31の硬貨出入口内へ移動する反繰出回転方向に回転する。【００６９】
なお、入金繰出部31の回転円盤60、ホッパ61および受渡し円盤62等の構成について説明したが、各収納繰出部32においても、回転円盤60、ホッパ61および受渡し円盤62等を備え、上述したように向きが異なるだけで基本的に同一の構成に形成されている。ただし、ホッパ61の排出口76や排出ゲート77などは、各収納繰出部32には設けられない。【００７０】
また、入金繰出部31の下方には、この入金繰出部31のホッパ61の排出ゲート77が開放されることによって、入金繰出部31に残留する異物を受け入れて異物返却口22に送り込む異物シュート83が配置されている。この異物シュート83の途中には異物を異物返却口22へ返却しない運用の場合に異物を回収する異物回収箱84が機体12から着脱可能に配置されている。【００７１】
次に、図１および図２に示すように、補充回収部14は、硬貨収納部として、機体12内の前側下部位置に固定配置されたオーバーフロースタッカ91、および機体12内の後面から後側下部位置に着脱可能に配置される硬貨カセット92を備え、さらに、オーバーフロースタッカ91と硬貨カセット92との間にこれらオーバーフロースタッカ91および硬貨カセット92から繰り出される硬貨を上方の入出金部13に搬送する補充搬送路93を備えている。【００７２】
オーバーフロースタッカ91の内部には、硬貨を非整列状態で収納する収納空間95、およびこの収納空間95の底部を構成して硬貨を後面の繰出口96から補充搬送路93に繰り出すベルト97が配設されている。【００７３】
硬貨カセット92は、硬貨を非整列状態で収納する収納空間98、およびこの収納空間98の底部を構成して硬貨を後面の繰出口99から補充搬送路93に繰り出すベルト100が配設されている。【００７４】
オーバーフロースタッカ91には、入出金運用時に入出金部13の識別部33で正常硬貨と識別されなかったリジェクト硬貨を収納するリジェクトボックスとしての運用リジェクトボックス102と、補充時に入出金部13の識別部33で正常硬貨と識別されなかったリジェクト硬貨を収納するリジェクトボックスとしての補充リジェクトボックス103とを備えている。これら運用リジェクトボックス102および補充リジェクトボックス103は、機体12から着脱して分離可能な分離型として構成されている。【００７５】
硬貨カセット92には、入出金運用時に入出金部13の識別部33で正常硬貨と識別されなかったリジェクト硬貨を収納するリジェクトボックスとしての運用リジェクトボックス104と、補充時に入出金部13の識別部33で正常硬貨と識別されなかったリジェクト硬貨を収納するリジェクトボックスとしての補充リジェクトボックス105とを備えている。これら運用リジェクトボックス104および補充リジェクトボックス105は、硬貨カセット92と一体に機体12に着脱可能な一体型として構成されている。【００７６】
そして、オーバーフロー通路34から導かれる硬貨を、このオーバーフロー通路34に設けられた図示しない切換機構により、オーバーフロースタッカ91の収納空間95、運用リジェクトボックス102、および補充リジェクトボックス103のいずれかに切り換えて収納させるように構成されている。【００７７】
さらに、回収通路35から導かれる硬貨を、この回収通路35に設けられた図示しない切換機構により、硬貨カセット92の収納空間98、運用リジェクトボックス104、および補充リジェクトボックス105のいずれかに切り換えて収納させるように構成されている。【００７８】
補充搬送路93は、オーバーフロースタッカ91と硬貨カセット92とから繰り出される硬貨を受け入れる横搬送部108、およびこの横搬送部108から硬貨を上方に搬送する縦搬送部109が設けられた搬送コンベヤ110を備えている。縦搬送部109は、入出金部13の側部であって、入出金搬送路25や入金繰出部31および収納繰出部32に対向する側部に配置され、図２に実線で示すように機体12内に配置されて硬貨を搬送する位置と、図２に２点鎖線で示すように機体12の外側に移動して入出金部13との間を解放可能とする位置との間で揺動可能としている。【００７９】
補充搬送路93は、搬送コンベヤ110の縦搬送部109で上方に搬送した硬貨を受け入れて入金繰出部31へ導く補充シュート112を備えている。【００８０】
また、図示していないが、硬貨処理装置11を制御する制御部、入出金処理に関する操作をする操作部、および各種表示事項を表示する表示部等を備えている。【００８１】
次に、第１の実施の形態の作用を説明する。【００８２】
まず、図５において、入金処理を説明する。【００８３】
図５(a)は、入金処理において、入金硬貨の計数一時保留動作を示す。【００８４】
機体12の入出金口21から受皿23に投入された硬貨は、この受皿23の反転によって下方へ放出され、図示しないシュートを通じて入金繰出部31に受け入れる。受皿23は、反転後に硬貨を受収する姿勢に復帰する。【００８５】
入金繰出部31内に受け入れた硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【００８６】
識別部33での識別の結果、正常硬貨と識別された硬貨は、一時保留部38の振分部材47で入出金搬送路25から一時保留部38に振り分け、一時保留部38内に収納する。【００８７】
識別部33での識別の結果、正常硬貨と識別されなかった硬貨は、一時保留部38の位置を通過して入出金搬送路25から硬貨を受収する姿勢に復帰している受皿23に放出し、返却する。【００８８】
また、図５(b)には、入金処理において、異物返却動作を示す。【００８９】
入金繰出部31内の硬貨を検知する図示しないセンサの検知に基づき、入金繰出部31から繰り出されずに残留する異物が存在すると判断した場合、あるいは入金繰出部31から全ての硬貨の繰り出しが完了した後、入金繰出部31のホッパ61の排出ゲート77を開き、入金繰出部31から繰り出されずに入金繰出部31内に残留するクリップおよび紙片や変形硬貨等の異物を下方の異物シュート83に放出し、異物返却口22に返却するか、あるいは異物回収箱84に回収する。異物の返却場所は、硬貨処理装置11の運用方法に応じて選択設定できる。【００９０】
また、図５(c)には、入金処理において、一時保留した硬貨の収納動作を示す。【００９１】
投入された全ての硬貨の計数一時保留動作が終了した後、操作部の操作で硬貨収納指令が出されると、一時保留部38内の硬貨を入金繰出部31に放出する。この入金繰出部31から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【００９２】
識別部33での識別の結果、正常硬貨と識別された硬貨は、該当金種の硬貨を収納する収納繰出部32の振分部材47で入出金搬送路25から収納繰出部32に振り分け、収納繰出部32内に収納する。【００９３】
収納繰出部32の硬貨収納枚数が所定の満杯枚数に達した場合には、それ以降の該当金種の硬貨は、オーバーフロー硬貨とし、オーバーフロー通路34の振分部材47でオーバーフロー通路34に振り分け、オーバーフロー通路34を通じてオーバーフロースタッカ91の収納空間95へ送り込んで収納する。【００９４】
識別部33での識別の結果、正常硬貨と識別されなかった硬貨は、オーバーフロー通路34の振分部材47でオーバーフロー通路34に振り分け、オーバーフロー通路34を通じてオーバーフロースタッカ91の運用リジェクトボックス102へ送り込んで収納する。【００９５】
また、図５(d)には、入金処理において、一時保留した硬貨の返却動作を示す。【００９６】
投入された全ての硬貨の計数一時保留動作が終了した後、操作部の操作で硬貨返却指令が出されると、一時保留部38内の硬貨を入金繰出部31に放出する。この入金繰出部31から硬貨を１枚ずつ入出金搬送路25に繰り出し、この入出金搬送路25内に繰り出した硬貨を１枚ずつベルト43で入金搬送方向F1に搬送し、この入出金搬送路25から入出金口21の受皿23に放出して返却する。【００９７】
次に、図６において、出金処理について説明する。【００９８】
図６(a)には、出金処理において、硬貨の計数出金動作を示す。【００９９】
操作部の操作で出金すべき金種と枚数、または出金すべき金額を含んだ硬貨出金指令を受けると、該当する収納繰出部32内の硬貨を１枚ずつ入出金搬送路25に繰り出し、この入出金搬送路25内に繰り出した硬貨を１枚ずつベルト43で出金搬送方向F2に搬送し、この搬送する硬貨を識別部33で識別する。複数の収納繰出部32から硬貨を投出する場合には、いずれか１つの収納繰出部32から硬貨を投出し、その収納繰出部32からの出金分の硬貨の投出完了後に、次の収納繰出部32から出金分の硬貨を投出するように順番に投出していく。なお、入出金搬送路25に繰り出された硬貨が他の収納繰出部32に対応する振分部材47と干渉しないように、各収納繰出部32内の硬貨を入出金搬送路25へ繰り出すタイミングの整合をとって、該当する複数の収納繰出部32を同時に動作させることもできる。【０１００】
識別部33での識別の結果、正常硬貨と識別された硬貨は、入出金搬送路25から入出金口21の受皿23に放出する。【０１０１】
識別部33での識別の結果、正常硬貨と識別されなかった硬貨は、入金繰出部31の振分部材47で入出金搬送路25から入金繰出部31に振り分けて収納する。正常硬貨と識別されなかった硬貨については、収納繰出部32からの投出タイミングとベルト43の搬送によって識別部33に到達するタイミングとから金種がわかるため、該当する金種の収納繰出部32から硬貨１枚分を追加投出する。【０１０２】
そして、出金分の硬貨を入出金口21の受皿23に出金する。【０１０３】
また、図６(b)には、出金処理において、正常硬貨と識別されなかった硬貨の戻し動作を示す。【０１０４】
正常硬貨と識別されなかった硬貨を収納した入金繰出部31から、入金繰出部31内の硬貨を１枚ずつ入出金搬送路25に繰り出し、この入出金搬送路25内に繰り出した硬貨を１枚ずつベルト43で入金搬送方向F1に搬送し、この搬送する硬貨を識別部33で再識別する。【０１０５】
識別部33での再識別の結果、正常硬貨と識別された硬貨は、該当金種の硬貨を収納する収納繰出部32の振分部材47で入出金搬送路25から収納繰出部32に振り分け、収納繰出部32内に収納する。【０１０６】
識別部33での再識別の結果、正常硬貨と識別されなかった硬貨は、オーバーフロー通路34の振分部材47でオーバーフロー通路34に振り分け、オーバーフロー通路34を通じてオーバーフロースタッカ91の運用リジェクトボックス102へ送り込んで収納する。【０１０７】
また、図６(c)には、出金処理において、取り忘れ硬貨の回収動作を示す。【０１０８】
出金分の硬貨を入出金口21の受皿23に出金してから所定時間経過しても硬貨が取り出されないことを図示しないセンサで検知したら、取り忘れているものと判断し、受皿23を反転させて硬貨を入金繰出部31に放出し、入金繰出部31に受け入れた硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０１０９】
識別部33での識別後に、一時保留部38の振分部材47で入出金搬送路25から振り分け、振り分けた硬貨を取り忘れ通路37を通じて取り忘れボックス39に回収する。【０１１０】
次に、図７において、オーバーフロースタッカ91からの補充処理について説明する。【０１１１】
このオーバーフロースタッカ91からの補充処理は、硬貨処理装置11の運用中に、ある金種の収納繰出部32の硬貨量が減少し、該当金種の硬貨がオーバーフロースタッカ91に収納されている場合に行われる。【０１１２】
オーバーフロースタッカ91のベルト97が回転し、オーバーフロースタッカ91内の硬貨を補充搬送路93の搬送コンベヤ110に放出する。この搬送コンベヤ110の縦搬送部109で硬貨を上方へ搬送し、縦搬送部109の上部から補充シュート112に放出し、補充シュート112を通じて入金繰出部31へ送り込む。【０１１３】
入金繰出部31から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０１１４】
識別部33での識別の結果、正常硬貨と識別された硬貨は、該当金種の硬貨を収納する収納繰出部32の振分部材47で入出金搬送路25から収納繰出部32に振り分け、収納繰出部32内に収納する。【０１１５】
収納繰出部32の硬貨収納枚数が所定の満杯枚数に達した場合には、それ以降の該当金種の硬貨は、オーバーフロー硬貨とし、オーバーフロー通路34の振分部材47でオーバーフロー通路34に振り分け、オーバーフロー通路34を通じてオーバーフロースタッカ91の収納空間95へ送り込んで収納する。【０１１６】
識別部33での識別の結果、正常硬貨と識別されなかった硬貨は、オーバーフロー通路34の振分部材47でオーバーフロー通路34に振り分け、オーバーフロー通路34を通じてオーバーフロースタッカ91の補充リジェクトボックス103へ送り込んで収納する。【０１１７】
なお、この補充処理中に入出金の処理が必要となった場合、オーバーフロースタッカ91からの硬貨の繰り出しを一時停止し、搬送途中の硬貨を全て搬送処理した後、必要となった入出金の処理を行い、その処理後、補充処理を再開する。【０１１８】
次に、図８において、硬貨カセット92からの補充処理について説明する。【０１１９】
図８(a)には、補充処理において、硬貨の補充動作を示す。【０１２０】
この硬貨カセット92からの補充処理は、硬貨処理装置11に硬貨が収納されていない初期補充、オーバーフロースタッカ91を含めて収納繰出部32の硬貨量が減少した場合の途中補充がある。【０１２１】
硬貨カセット92のベルト100が回転し、硬貨カセット92内の硬貨を補充搬送路93の搬送コンベヤ110に放出する。この搬送コンベヤ110の縦搬送部109で硬貨を上方へ搬送し、縦搬送部109の上部から補充シュート112に放出し、補充シュート112を通じて入金繰出部31へ送り込む。【０１２２】
入金繰出部31から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０１２３】
識別部33での識別の結果、正常硬貨と識別された硬貨は、該当金種の硬貨を収納する収納繰出部32の振分部材47で入出金搬送路25から収納繰出部32に振り分け、収納繰出部32内に収納する。【０１２４】
収納繰出部32の硬貨収納枚数が所定の満杯枚数に達した場合には、それ以降の該当金種の硬貨は、オーバーフロー硬貨とし、オーバーフロー通路34の振分部材47でオーバーフロー通路34に振り分け、オーバーフロー通路34を通じてオーバーフロースタッカ91の収納空間95へ送り込んで収納する。【０１２５】
識別部33での識別の結果、正常硬貨と識別されなかった硬貨は、入出金搬送路25から受皿23に放出する。【０１２６】
図８(b)には、補充処理において、正常硬貨と識別されなかった硬貨の再識別動作を示す。【０１２７】
硬貨カセット92から繰り出された全ての硬貨の搬送処理が完了した後、受皿23に硬貨が存在する場合には、受皿23を反転させて硬貨を入金繰出部31に放出し、入金繰出部31から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で再識別する。【０１２８】
識別部33での再識別の結果、正常硬貨と識別された硬貨は、該当金種の硬貨を収納する収納繰出部32の振分部材47で入出金搬送路25から収納繰出部32に振り分け、収納繰出部32内に収納する。【０１２９】
識別部33での再識別の結果、正常硬貨と識別されたが、硬貨収納枚数が所定の満杯枚数に達している金種であった場合には、その硬貨は、オーバーフロー硬貨とし、オーバーフロー通路34の振分部材47でオーバーフロー通路34に振り分け、オーバーフロー通路34を通じてオーバーフロースタッカ91の収納空間95へ送り込んで収納する。【０１３０】
識別部33での再識別の結果、正常硬貨と識別されなかった硬貨は、回収通路35の振分部材47で回収通路35に振り分け、回収通路35を通じて硬貨カセット92の補充リジェクトボックス105へ送り込んで収納する。【０１３１】
次に、図９において、入出金口21からの補充処理を説明する。【０１３２】
図９(a)には、補充処理において、硬貨の計数一時保留動作を示す。【０１３３】
機体12の上面の入出金口21から受皿23に投入された補充用の硬貨は、この受皿23の反転によって入金繰出部31に放出する。受皿23は反転後に硬貨を受収する姿勢に復帰する。【０１３４】
入金繰出部31内に受け入れた硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０１３５】
識別部33での識別の結果、正常硬貨と識別された硬貨は、一時保留部38の振分部材47で入出金搬送路25から一時保留部38に振り分け、一時保留部38内に収納する。【０１３６】
識別部33での識別の結果、正常硬貨と識別されなかった硬貨は、一時保留部38の位置を通過して入出金搬送路25から硬貨を受収する姿勢に復帰している受皿23に放出して返却する。【０１３７】
また、図９(b)には、補充処理において、硬貨の補充動作を示す。【０１３８】
投入された全ての硬貨の計数一時保留動作が終了した後、操作部の操作で硬貨収納指令が出されると、一時保留部38内の硬貨を入金繰出部31に放出する。この入金繰出部31から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０１３９】
識別部33での識別の結果、正常硬貨と識別された硬貨は、該当金種の硬貨を収納する収納繰出部32の振分部材47で入出金搬送路25から収納繰出部32に振り分け、収納繰出部32内に収納する。【０１４０】
収納繰出部32の硬貨収納枚数が所定の満杯枚数に達した場合には、それ以降の該当金種の硬貨は、オーバーフロー硬貨とし、オーバーフロー通路34の振分部材47でオーバーフロー通路34に振り分け、オーバーフロー通路34を通じてオーバーフロースタッカ91の収納空間95へ送り込んで収納する。【０１４１】
識別部33での識別の結果、正常硬貨と識別されなかった硬貨は、オーバーフロー通路34の振分部材47でオーバーフロー通路34に振り分け、オーバーフロー通路34を通じてオーバーフロースタッカ91の運用リジェクトボックス102へ送り込んで収納する。【０１４２】
次に、図１０において、収納繰出部32の回収処理について説明する。【０１４３】
図１０(a)に、収納繰出部32から入金繰出部31への硬貨の移動動作を示す。【０１４４】
操作部の操作で回収指令が出されると、ある１つの収納繰出部32内の硬貨を１枚ずつ入出金搬送路25に繰り出し、この入出金搬送路25内に繰り出した硬貨を１枚ずつベルト43で出金搬送方向F2に搬送し、この搬送する硬貨を識別部33で識別後、入金繰出部31の振分部材47で入金繰出部31に振り分けて収納させる。【０１４５】
図１０(b)に、入金繰出部31から硬貨カセット92への硬貨の回収動作を示す。【０１４６】
入金繰出部31から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０１４７】
識別部33での識別の結果、正常硬貨と識別された硬貨は、回収通路35の振分部材47で回収通路35に振り分け、回収通路35を通じて硬貨カセット92へ送り込んで回収する。【０１４８】
識別部33での識別の結果、正常硬貨と識別されなかった硬貨は、オーバーフロー通路34の振分部材47でオーバーフロー通路34に振り分け、オーバーフロー通路34を通じてオーバーフロースタッカ91の運用リジェクトボックス102へ送り込んで収納する。【０１４９】
そして、このような回収動作を全ての収納繰出部32について順次行う。【０１５０】
次に、図１１において、オーバーフロースタッカ91からの回収処理について説明する。【０１５１】
図１１(a)に、オーバーフロースタッカ91から硬貨カセット92への硬貨の回収動作を示す。【０１５２】
オーバーフロースタッカ91のベルト97が回転し、オーバーフロースタッカ91内の硬貨をオーバーフロースタッカ91の後面から補充搬送路93の搬送コンベヤ110に放出する。この搬送コンベヤ110の縦搬送部109で硬貨を上方へ搬送し、縦搬送部109の上部から補充シュート112に放出し、補充シュート112を通じて入金繰出部31へ送り込む。【０１５３】
入金繰出部31から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０１５４】
識別部33での識別の結果、正常硬貨と識別された硬貨は、回収通路35の振分部材47で回収通路35に振り分け、回収通路35を通じて硬貨カセット92へ送り込んで回収する。【０１５５】
識別部33での識別の結果、正常硬貨と識別されなかった硬貨は、入出金搬送路25から受皿23に放出する。【０１５６】
図１１(b)に、正常硬貨と識別されなかった硬貨の再識別動作を示す。【０１５７】
オーバーフロースタッカ91から繰り出された全ての硬貨の搬送処理が完了した後、受皿23に正常硬貨と識別されなかった硬貨が存在する場合には、受皿23を反転させて硬貨を入金繰出部31に放出し、入金繰出部31から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０１５８】
識別部33での識別の結果、正常硬貨と識別された硬貨は、回収通路35の振分部材47で回収通路35に振り分け、回収通路35を通じて硬貨カセット92へ送り込んで回収する。【０１５９】
識別部33での識別の結果、正常硬貨と識別されなかった硬貨は、オーバーフロー通路34の振分部材47でオーバーフロー通路34に振り分け、オーバーフロー通路34を通じてオーバーフロースタッカ91の運用リジェクトボックス102へ送り込んで収納する。【０１６０】
次に、図１２において、各収納繰出部32に収納されている硬貨を精査する精査処理について説明する。【０１６１】
図１２(a)には、精査処理において、収納繰出部32から入金繰出部31への硬貨の計数一時保留動作を示す。【０１６２】
精査指令を受けると、いずれか１つの収納繰出部32から、収納繰出部32内の硬貨を１枚ずつ入出金搬送路25に繰り出し、この入出金搬送路25内に繰り出した硬貨を１枚ずつベルト43で出金搬送方向F2に搬送し、この搬送する硬貨を識別部33で識別する。【０１６３】
識別部33で識別した硬貨は、入金繰出部31の振分部材47で入出金搬送路25から入金繰出部31に振り分けて収納する。【０１６４】
また、図１２(b)には、精査処理において、入金繰出部31から収納繰出部32への硬貨の戻し動作を示す。【０１６５】
精査する収納繰出部32内の全ての硬貨を識別して入金繰出部31に移動させた後、入金繰出部31内の硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０１６６】
識別部33での識別の結果、正常硬貨と識別された硬貨は、該当金種の硬貨を収納する収納繰出部32の振分部材47で入出金搬送路25から収納繰出部32に振り分け、収納繰出部32内に収納する。【０１６７】
識別部33での識別の結果、正常硬貨と識別されなかった硬貨は、オーバーフロー通路34の振分部材47でオーバーフロー通路34に振り分け、オーバーフロー通路34を通じてオーバーフロースタッカ91の運用リジェクトボックス102へ送り込んで収納する。【０１６８】
そして、このような収納繰出部32から入金繰出部31への硬貨の識別および移動後、入金繰出部31から元の収納繰出部32への硬貨の識別および移動を、全ての収納繰出部32について順番に実施し、機体12内の全ての収納繰出部32に収納された硬貨を精査する。【０１６９】
次に、図１３において、オーバーフロースタッカ91に収納されている硬貨を精査する精査処理について説明する。【０１７０】
このオーバーフロースタッカ91に収納されている硬貨の精査は、硬貨カセット92に硬貨が収納されていないことを確認した場合に限り行うことができ、硬貨カセット92に硬貨が収納されている場合には行うことはできない。【０１７１】
図１３(a)に、精査処理において、オーバーフロースタッカ91から硬貨カセット92への硬貨の移動動作を示す。【０１７２】
オーバーフロースタッカ91のベルト97が回転し、オーバーフロースタッカ91内の硬貨を補充搬送路93の搬送コンベヤ110に放出する。この搬送コンベヤ110の縦搬送部109で硬貨を上方へ搬送し、縦搬送部109の上部から補充シュート112に放出し、補充シュート112を通じて入金繰出部31へ送り込む。【０１７３】
入金繰出部31から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別後、回収通路35の振分部材47で回収通路35に振り分け、回収通路35を通じて硬貨カセット92へ送り込んで収納する。【０１７４】
また、図１３(b)に、硬貨カセット92からオーバーフロースタッカ91への硬貨の戻し動作を示す。【０１７５】
オーバーフロースタッカ91から繰り出された硬貨の移動動作後、硬貨カセット92のベルト100が回転し、硬貨カセット92内の硬貨を補充搬送路93の搬送コンベヤ110に放出する。この搬送コンベヤ110の縦搬送部109で硬貨を上方へ搬送し、縦搬送部109の上部から補充シュート112に放出し、補充シュート112を通じて入金繰出部31へ送り込む。【０１７６】
入金繰出部31から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０１７７】
識別部33での識別の結果、正常硬貨と識別された硬貨は、オーバーフロー通路34の振分部材47でオーバーフロー通路34に振り分け、オーバーフロー通路34を通じてオーバーフロースタッカ91の収納空間95へ送り込んで収納する。【０１７８】
識別部33での識別の結果、正常硬貨と識別されなかった硬貨は、入出金搬送路25から受皿23に放出し、硬貨カセット92からの硬貨の戻し動作の終了後に、正常硬貨と識別されなかった硬貨の再識別動作を行う。すなわち、受皿23を反転させて硬貨を入金繰出部31に放出し、入金繰出部31から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で再識別する。識別部33での再識別の結果、正常硬貨と識別された硬貨は、オーバーフロー通路34の振分部材47でオーバーフロー通路34に振り分け、オーバーフロー通路34を通じてオーバーフロースタッカ91の収納空間95へ送り込んで収納する。識別部33での再識別の結果、正常硬貨と識別されなかった硬貨は、オーバーフロー通路34の振分部材47でオーバーフロー通路34に振り分け、オーバーフロー通路34を通じてオーバーフロースタッカ91の運用リジェクトボックス102へ送り込んで収納する。【０１７９】
なお、上述した各処理において、入出金搬送路25のベルト43は、入金搬送方向F1および出金搬送方向F2に対してそれぞれ逆方向にも回転可能であるため、入出金搬送路25で入金搬送方向F1または出金搬送方向F2に搬送する硬貨が詰まりを生じた場合に、ベルト43を逆転させて、詰まりの生じた硬貨を繰り出し元に戻すような詰まり解除動作ができる。そして、詰まり硬貨が繰り出し元に戻って正常な状態に復帰した後、再度、繰り出し動作をやり直すリトライ動作が可能である。【０１８０】
このように構成された硬貨処理装置11では、入金繰出部31、および複数の収納繰出部32のそれぞれに、水平方向に対して所定角度に傾斜する位置で回転する回転円盤60およびこの回転円盤60の表面側に硬貨を非整列状態で収納するホッパ61を備え、入出金搬送路25から硬貨を受け入れたり回転円盤60の回転によって硬貨を１枚ずつ入出金搬送路25へ繰り出す構成を用いたため、一度に大量の硬貨を取り扱うことができ、それでいて搬送構造が簡素化できて小型かつ安価に構成でき、硬貨詰まり等のトラブルの発生も低減でき、また、補充回収部14から硬貨を入出金部13に補充でき、大量の出金にも対応できるとともに、入出金部13から送り込まれる硬貨も収納したり回収でき、大量の硬貨の取扱いに対応できる。【０１８１】
一時保留部38は、入金繰出部31より上方に位置し、硬貨収納指令時には硬貨を入金繰出部31へ放出するだけでよいため、一時保留部38の構成を簡単にできる。【０１８２】
また、補充回収部14には、機体12に固定配置されるオーバーフロースタッカ91と、機体12に着脱可能に配置される硬貨カセット92とを備え、収納繰出部32が満杯となった金種の硬貨の収納やこの収納した硬貨の補充にオーバーフロースタッカ91を用いることができ、外部からの硬貨の補充や機体12内からの硬貨の回収に硬貨カセット92を用いることができ、適宜使い分けることができる。【０１８３】
補充回収部14のオーバーフロースタッカ91および硬貨カセット92は、硬貨を非整列状態で収納し、硬貨を収納する空間の底部を構成するベルト97，100の回転によって硬貨を補充搬送路93へ繰出可能とするため、大量の硬貨の取り扱いに対応できる。【０１８４】
また、補充搬送路93では、オーバーフロースタッカ91および硬貨カセット92から繰り出される硬貨を横搬送部108に受け入れて縦搬送部109で上方に搬送するため、硬貨を入金繰出部31に落下させて送り込むことが可能となり、搬送構造を簡素化できる。【０１８５】
入出金部13の側部に位置する補充搬送路93の縦搬送部109は、入出金部13との間を解放可能とするため、入出金部13でのトラブル発生時の対応を容易にできる。【０１８６】
また、オーバーフロースタッカ91が、入出金運用時のリジェクト硬貨を収納する運用リジェクトボックス102と、補充時のリジェクト硬貨を収納する補充リジェクトボックス103とを備え、これら運用リジェクトボックス102および補充リジェクトボックス103が機体12から分離可能とし、また、硬貨カセット92が、入出金運用時のリジェクト硬貨を収納する運用リジェクトボックス104と、補充時のリジェクト硬貨を収納する補充リジェクトボックス105とを備え、これら運用リジェクトボックス104および補充リジェクトボックス105が硬貨カセット92と一体に機体12に着脱可能とし、入出金運用時と補充時とでリジェクト硬貨を区別して管理できるとともに、リジェクト硬貨の取扱い方法を自由に選択できる。【０１８７】
次に、図１４ないし図２０に第２の実施の形態を示す。【０１８８】
この第２の実施の形態の硬貨処理装置11は、第１の実施の形態の硬貨処理装置11に対して内部構成のレイアウトの一部が異なっているだけであり、そのため、主に第１の実施の形態との相違点について説明し、第１の実施の形態と同じ機能を有する構成については同一符号を用いてその説明を省略する。【０１８９】
図１４に示すように、入出金搬送路25は、機体12の前後方向に略水平に設けられる第１の搬送路部26、この第１の搬送路部26の上方で機体12の前後方向に略水平に設けられる第２の搬送路部27、これら第１の搬送路部26と第２の搬送路部27との後部間を上下方向に接続する第３の搬送路部28で構成されている。この入出金搬送路25には、図示していないが、入出金搬送路25内の硬貨を搬送するベルト43が配置されている。ここで、第２の搬送路部27から第３の搬送路部28および第１の搬送路部26へ向けて硬貨を搬送する方向を第１の搬送方向であって入金搬送方向F1と呼び、逆に、第１の搬送路部26から第３の搬送路部28および第２の搬送路部27へ向けて硬貨を搬送する方向を第２の搬送方向であって出金搬送方向F2と呼ぶ。【０１９０】
また、入出金搬送路25の第１の搬送路部26の前端に入金繰出部31が接続配置され、この第１の搬送路部26の入金繰出部31より後側および第２の搬送路部27に金種別の複数の収納繰出部32が接続配置され、第２の搬送路部27の収納繰出部32より前側に一時保留部38が接続配置され、第２の搬送路部27の前端が入出金口21に接続されている。【０１９１】
入金繰出部31は、入出金搬送路25内を入金搬送方向F1に搬送する硬貨を分岐して受け入れ可能とするとともに入出金搬送路25に対して出金搬送方向F2に繰り出し可能とする。複数の収納繰出部32は、入出金搬送路25内を入金搬送方向F1に搬送する硬貨を分岐して受け入れ可能とするとともに入出金搬送路25に対して出金搬送方向F2に繰り出し可能とする。一時保留部38は、入出金搬送路25内を出金搬送方向F2に搬送する硬貨を分岐して受け入れ可能とするとともに入出金搬送路25に対して入金搬送方向F1に繰り出し可能とする。【０１９２】
これら入金繰出部31、各収納繰出部32および一時保留部38は、第１の実施の形態で説明したように、回転円盤60、ホッパ61および受渡し円盤62等を備え、硬貨の収納および繰り出しが可能となっている。入金繰出部31のみは、ホッパ61の排出口76や排出ゲート77などが異物排出機能を備えている。【０１９３】
入出金搬送路25の各収納繰出部32および一時保留部38の接続部分には、各収納繰出部32および一時保留部38と入出金搬送路25との間で硬貨を出し入れするかベルト43で搬送する硬貨を搬送方向下流側へ通過させるかに応じて選択的に振り分ける振分部材47が配設されている。【０１９４】
また、入出金搬送路25の第２の搬送路部27には、一時保留部38と収納繰出部32との間に、搬送する硬貨の少なくとも金種、真偽、正損などを適宜選択して識別する識別部33が配設されている。【０１９５】
入出金搬送路25の第１の搬送路部26には、入金繰出部31と最前部の収納繰出部32との間に硬貨をオーバーフロースタッカ91に分岐するオーバーフロー硬貨分岐部121が設けられ、最前部の収納繰出部32と最前部から２番目の収納繰出部32との間に硬貨をオーバーフロースタッカ91側に分岐する取り忘れ硬貨分岐部122が設けられ、前から２番目と３番目の収納繰出部32との間に硬貨を硬貨カセット92側に分岐するリジェクト硬貨分岐部123が設けられ、前から３番目と４番目の収納繰出部32との間に硬貨を硬貨カセット92内に分岐する回収硬貨分岐部124が設けられている。【０１９６】
また、図１４および図１５に示すように、オーバーフロースタッカ91は、入出金搬送路25からオーバーフロー硬貨分岐部121で分岐される硬貨を収納可能とするとともに、ベルト97によって補充搬送路93に繰り出し可能とする。このオーバーフロースタッカ91には、取り忘れ硬貨を収納する取り忘れボックス127、および任意に設定される所定の硬貨の収納に利用可能な予備ボックス128を備えている。入出金搬送路25から取り忘れ硬貨分岐部122で分岐された硬貨が、取り忘れ硬貨通路129およびこの取り忘れ硬貨通路129に設けられた図示しない切換機構により、取り忘れボックス127および予備ボックス128のいずれか一方に導かれて収納される。これら取り忘れボックス127および予備ボックス128は、機体12から個別に着脱可能な分離型として構成されている。【０１９７】
硬貨カセット92は、入出金搬送路25から回収硬貨分岐部124で分岐される硬貨を収納可能とするとともに、ベルト100によって補充搬送路93に繰り出し可能とする。硬貨カセット92には、入出金運用時に識別部33で正常硬貨と識別されなかったリジェクト硬貨を収納するリジェクトボックスとしての運用リジェクトボックス104、および補充時に入出金部13の識別部33で正常硬貨と識別されなかったリジェクト硬貨を収納するリジェクトボックスとしての補充リジェクトボックス105を備えている。入出金搬送路25からリジェクト硬貨分岐部123で分岐された硬貨が、図示しない通路およびこの通路に設けられた切換機構により、運用リジェクトボックス104および補充リジェクトボックス105のいずれか一方に導かれて収納される。これら運用リジェクトボックス104および補充リジェクトボックス105は、硬貨カセット92と一体に機体12に着脱可能な一体型として構成されている。【０１９８】
補充搬送路93は、オーバーフロースタッカ91および硬貨カセット92から繰り出される硬貨を受け入れて、一時保留部38に搬送する搬送コンベヤ110を備えている。【０１９９】
次に、第２の実施の形態の作用を説明する。【０２００】
まず、図１６において、入金処理を説明する。【０２０１】
図１６(a)には、入金処理において、入金硬貨の計数一時保留動作を示す。【０２０２】
機体12の入出金口21から受皿23に投入された硬貨は、この受皿23の反転によって下方へ放出され、入金繰出部31に受け入れる。受皿23は、反転後に硬貨を受収する姿勢に復帰する。【０２０３】
入金繰出部31内に受け入れた硬貨を１枚ずつ入出金搬送路25に繰り出し、この入出金搬送路25内に繰り出した硬貨を１枚ずつベルト43で出金搬送方向F2に搬送し、この搬送する硬貨を識別部33で識別する。【０２０４】
識別部33での識別の結果、正常硬貨と識別された硬貨は、一時保留部38の振分部材47で入出金搬送路25から一時保留部38に振り分け、一時保留部38内に収納する。【０２０５】
識別部33での識別の結果、正常硬貨と識別されなかった硬貨は、一時保留部38の位置を通過して入出金搬送路25から硬貨を受収する姿勢に復帰している受皿23に放出し、返却する。【０２０６】
また、図１６(b)には、入金処理において、異物返却動作を示す。【０２０７】
入金繰出部31内の硬貨を検知する図示しないセンサの検知に基づき、入金繰出部31から繰り出されずに残留する異物が存在すると判断した場合、あるいは入金繰出部31から全ての硬貨の繰り出しが完了した後、入金繰出部31のホッパ61の排出ゲート77を開き、入金繰出部31から繰り出されずに入金繰出部31内に残留するクリップおよび紙片や変形硬貨等の異物を下方の異物シュート83に放出し、異物返却口22に返却する。【０２０８】
また、図１６(c)には、入金処理において、一時保留した硬貨の収納動作を示す。【０２０９】
投入された全ての硬貨の計数一時保留動作が終了した後、操作部の操作で硬貨収納指令が出されると、一時保留部38内の硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０２１０】
識別部33での識別の結果、正常硬貨と識別された硬貨は、該当金種の硬貨を収納する収納繰出部32の振分部材47で入出金搬送路25から収納繰出部32に振り分け、収納繰出部32内に収納する。【０２１１】
収納繰出部32の硬貨収納枚数が所定の満杯枚数に達した場合には、それ以降の該当金種の硬貨は、オーバーフロー硬貨とし、オーバーフロー硬貨分岐部121で分岐し、オーバーフロースタッカ91に送り込んで収納する。【０２１２】
識別部33での識別の結果、正常硬貨と識別されなかった硬貨は、オーバーフロー硬貨分岐部121で分岐し、オーバーフロースタッカ91に送り込んで収納するか、リジェクト硬貨分岐部123で分岐し、硬貨カセット92の運用リジェクトボックス104に送り込んで収納する。【０２１３】
また、図１６(d)(e)には、入金処理において、一時保留した硬貨の返却動作を示す。【０２１４】
図１６(d)に示すように、投入された全ての硬貨の計数一時保留動作が終了した後、操作部の操作で硬貨返却指令が出されると、一時保留部38内の硬貨を１枚ずつ入出金搬送路25に繰り出し、この入出金搬送路25内に繰り出した硬貨を１枚ずつベルト43で入金搬送方向F1に搬送し、入金繰出部31内に収納する。【０２１５】
続いて、図１６(e)に示すように、入金繰出部31から硬貨を１枚ずつ入出金搬送路25に繰り出し、この入出金搬送路25内に繰り出した硬貨を１枚ずつベルト43で出金搬送方向F2に搬送し、入出金口21の受皿23に放出して返却する。【０２１６】
次に、図１７において、出金処理について説明する。【０２１７】
図１７(a)には、出金処理において、硬貨の計数出金動作を示す。【０２１８】
操作部の操作で出金すべき金種と枚数、または出金すべき金額を含んだ硬貨出金指令を受けると、該当する収納繰出部32内の硬貨を１枚ずつ入出金搬送路25に繰り出し、この入出金搬送路25内に繰り出した硬貨を１枚ずつベルト43で出金搬送方向F2に搬送し、この搬送する硬貨を識別部33で識別する。【０２１９】
識別部33での識別の結果、正常硬貨と識別された硬貨は、入出金搬送路25から入出金口21の受皿23に放出する。【０２２０】
識別部33での識別の結果、正常硬貨と識別されなかった硬貨は、一時保留部38の振分部材47で入出金搬送路25から一時保留部38に振り分けて収納する。正常硬貨と識別されなかった硬貨については、収納繰出部32からの投出タイミングとベルト43の搬送によって識別部33に到達するタイミングとから金種がわかるため、該当する金種の収納繰出部32から硬貨１枚分を追加投出する。【０２２１】
そして、出金分の硬貨を入出金口21の受皿23に出金する。【０２２２】
また、図１７(b)には、出金処理において、正常硬貨と識別されなかった硬貨の戻し動作を示す。【０２２３】
正常硬貨と識別されなかった硬貨を収納した一時保留部38から、一時保留部38内の硬貨を１枚ずつ入出金搬送路25に繰り出し、この入出金搬送路25内に繰り出した硬貨を１枚ずつベルト43で入金搬送方向F1に搬送し、この搬送する硬貨を識別部33で再識別する。【０２２４】
識別部33での再識別の結果、正常硬貨と識別された硬貨は、該当金種の硬貨を収納する収納繰出部32の振分部材47で入出金搬送路25から収納繰出部32に振り分け、収納繰出部32内に収納する。【０２２５】
識別部33での再識別の結果、正常硬貨と識別されなかった硬貨は、オーバーフロー硬貨分岐部121で分岐し、オーバーフロースタッカ91に送り込んで収納する。【０２２６】
また、図１７(c)(d)には、出金処理において、取り忘れ硬貨の回収動作を示す。【０２２７】
図１７(c)に示すように、出金分の硬貨を入出金口21の受皿23に出金してから所定時間経過しても硬貨が取り出されないことを図示しないセンサで検知したら、硬貨を取り忘れているものと判断し、受皿23を反転させて硬貨を入金繰出部31に放出し、入金繰出部31に受け入れた硬貨を１枚ずつ入出金搬送路25に繰り出し、この入出金搬送路25内に繰り出した硬貨を１枚ずつベルト43で出金搬送方向F2に搬送し、この搬送する硬貨を識別部33で識別し、一時保留部38の分岐部材47で入出金搬送路25から一時保留部38に振り分けて収納する。【０２２８】
続いて、図１７(d)に示すように、一時保留部38から硬貨を１枚ずつ入出金搬送路25に繰り出し、この入出金搬送路25内に繰り出した硬貨を１枚ずつベルト43で入金搬送方向F1に搬送し、この搬送する硬貨を取り忘れ硬貨分岐部122で分岐して取り忘れボックス127に回収する。【０２２９】
次に、図１８において、補充処理について説明する。【０２３０】
図１８(a)は、オーバーフロースタッカ91からの補充処理を示す。【０２３１】
このオーバーフロースタッカ91からの補充処理は、硬貨処理装置11の運用中に、ある金種の収納繰出部32の硬貨量が減少し、該当金種の硬貨がオーバーフロースタッカ91に収納されている場合に行われる。【０２３２】
オーバーフロースタッカ91のベルト97が回転し、オーバーフロースタッカ91内の硬貨を補充搬送路93の搬送コンベヤ110に放出する。この搬送コンベヤ110の縦搬送部109で硬貨を上方へ搬送し、縦搬送部109の上部から一時保留部38に放出する。【０２３３】
一時保留部38から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０２３４】
識別部33での識別の結果、正常硬貨と識別された硬貨は、該当金種の硬貨を収納する収納繰出部32の振分部材47で入出金搬送路25から収納繰出部32に振り分け、収納繰出部32内に収納する。【０２３５】
収納繰出部32の硬貨収納枚数が所定の満杯枚数に達した場合には、それ以降の該当金種の硬貨は、オーバーフロー硬貨とし、オーバーフロー硬貨分岐部121で分岐し、オーバーフロースタッカ91に送り込んで収納する。【０２３６】
識別部33での識別の結果、正常硬貨と識別されなかった硬貨は、オーバーフロー硬貨分岐部121で分岐し、オーバーフロースタッカ91に送り込んで収納する。【０２３７】
また、図１８(b)は、硬貨カセット92からの補充処理を示す。【０２３８】
この硬貨カセット92からの補充処理は、硬貨処理装置11に硬貨が収納されていない初期補充、オーバーフロースタッカ91を含めて収納繰出部32の硬貨量が減少した場合の途中補充がある。【０２３９】
硬貨カセット92のベルト100が回転し、硬貨カセット92内の硬貨を補充搬送路93の搬送コンベヤ110に放出する。この搬送コンベヤ110の縦搬送部109で硬貨を上方へ搬送し、縦搬送部109の上部から一時保留部38に放出する。【０２４０】
一時保留部38から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０２４１】
識別部33での識別の結果、正常硬貨と識別された硬貨は、該当金種の硬貨を収納する収納繰出部32の振分部材47で入出金搬送路25から収納繰出部32に振り分け、収納繰出部32内に収納する。【０２４２】
収納繰出部32の硬貨収納枚数が所定の満杯枚数に達した場合には、それ以降の該当金種の硬貨は、オーバーフロー硬貨とし、オーバーフロー硬貨分岐部121で分岐し、オーバーフロースタッカ91に送り込んで収納する。【０２４３】
識別部33での識別の結果、正常硬貨と識別されなかった硬貨は、リジェクト硬貨分岐部123で分岐し、補充リジェクトボックス105に送り込んで収納する。【０２４４】
また、図１８(c)(d)は、入出金口21からの補充処理を示す。【０２４５】
図１８(c)に示すように、機体12の上面の入出金口21から受皿23に投入された補充用の硬貨は、この受皿23の反転によって入金繰出部31に放出する。受皿23は反転後に硬貨を受収する姿勢に復帰する。【０２４６】
入金繰出部31内に受け入れた硬貨を１枚ずつ入出金搬送路25に繰り出し、この入出金搬送路25内に繰り出した硬貨を１枚ずつベルト43で出金搬送方向F2に搬送し、この搬送する硬貨を識別部33で識別する。【０２４７】
識別部33での識別の結果、正常硬貨と識別された硬貨は、一時保留部38の振分部材47で入出金搬送路25から一時保留部38に振り分け、一時保留部38内に収納する。【０２４８】
識別部33での識別の結果、正常硬貨と識別されなかった硬貨は、一時保留部38の位置を通過して入出金搬送路25から硬貨を受収する姿勢に復帰している受皿23に放出して返却する。【０２４９】
また、図１８(d)に示すように、投入された全ての硬貨の計数一時保留動作が終了した後、操作部の操作で硬貨収納指令が出されると、一時保留部38から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０２５０】
識別部33での識別の結果、正常硬貨と識別された硬貨は、該当金種の硬貨を収納する収納繰出部32の振分部材47で入出金搬送路25から収納繰出部32に振り分け、収納繰出部32内に収納する。【０２５１】
収納繰出部32の硬貨収納枚数が所定の満杯枚数に達した場合には、それ以降の該当金種の硬貨は、オーバーフロー硬貨とし、オーバーフロー硬貨分岐部121で分岐し、オーバーフロースタッカ91に送り込んで収納する。【０２５２】
識別部33での識別の結果、正常硬貨と識別されなかった硬貨は、オーバーフロー硬貨分岐部121で分岐し、オーバーフロースタッカ91に送り込んで収納する。【０２５３】
次に、図１９において、回収処理について説明する。【０２５４】
図１９(a)(b)は、収納繰出部32からの回収動作を示す。【０２５５】
図１(a)に示すように、操作部の操作で回収指令が出されると、ある１つの収納繰出部32内の硬貨を１枚ずつ入出金搬送路25に繰り出し、この入出金搬送路25内に繰り出した硬貨を１枚ずつベルト43で出金搬送方向F2に搬送し、この搬送する硬貨を識別部33で識別後、一時保留部38の振分部材47で一時保留部38に振り分けて収納させる。【０２５６】
続いて、図１９(b)に示すように、一時保留部38から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０２５７】
識別部33での識別の結果、正常硬貨と識別された硬貨は、回収硬貨分岐部124で分岐し、硬貨カセット92に送り込んで回収する。【０２５８】
識別部33での識別の結果、正常硬貨と識別されなかった硬貨は、オーバーフロー硬貨分岐部121で分岐し、オーバーフロースタッカ91に送り込んで収納する。【０２５９】
そして、このような回収動作を全ての収納繰出部32について順次行う。【０２６０】
また、図１９(c)は、オーバーフロースタッカ91からの回収処理を示す。【０２６１】
オーバーフロースタッカ91のベルト97が回転し、オーバーフロースタッカ91内の硬貨をオーバーフロースタッカ91から補充搬送路93の搬送コンベヤ110に放出する。この搬送コンベヤ110の縦搬送部109で硬貨を上方へ搬送し、縦搬送部109の上部から一時保留部38に放出する。【０２６２】
一時保留部38から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０２６３】
識別部33での識別の結果、正常硬貨と識別された硬貨は、回収硬貨分岐部124で分岐し、硬貨カセット92に送り込んで回収する。【０２６４】
識別部33での識別の結果、正常硬貨と識別されなかった硬貨は、リジェクト硬貨分岐部123で分岐し、運用リジェクトボックス104に送り込んで回収する。【０２６５】
次に、図２０において、精査処理について説明する。【０２６６】
図２０(a)(b)は、収納繰出部32の精査動作を示す。【０２６７】
図２０(a)に示すように、精査指令を受けると、いずれか１つの収納繰出部32から、収納繰出部32内の硬貨を１枚ずつ入出金搬送路25に繰り出し、この入出金搬送路25内に繰り出した硬貨を１枚ずつベルト43で出金搬送方向F2に搬送し、この搬送する硬貨を識別部33で識別後、一時保留部38の振分部材47で一時保留部38に振り分けて収納させる。【０２６８】
続いて、図２０(b)に示すように、精査する収納繰出部32内の全ての硬貨を識別して一時保留部38に移動させた後、一時保留部38内の硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０２６９】
識別部33での識別の結果、正常硬貨と識別された硬貨は、該当金種の硬貨を収納する収納繰出部32の振分部材47で入出金搬送路25から収納繰出部32に振り分け、収納繰出部32内に収納する。【０２７０】
識別部33での識別の結果、正常硬貨と識別されなかった硬貨は、オーバーフロー硬貨分岐部121で分岐し、オーバーフロースタッカ91に送り込んで収納する。【０２７１】
そして、このような収納繰出部32から一時保留部38への硬貨の識別および移動後、一時保留部38から元の収納繰出部32への硬貨の識別および移動を、全ての収納繰出部32について順番に実施し、機体12内の全ての収納繰出部32に収納された硬貨を精査する。【０２７２】
また、図２０(c)(d)は、オーバーフロースタッカ91の精査動作を示す。【０２７３】
このオーバーフロースタッカ91に収納されている硬貨の精査動作は、硬貨カセット92に硬貨が収納されていないことを確認した場合に限り行うことができ、硬貨カセット92に硬貨が収納されている場合には行うことはできない。【０２７４】
図２０(c)に示すように、オーバーフロースタッカ91のベルト97が回転し、オーバーフロースタッカ91内の硬貨を補充搬送路93の搬送コンベヤ110に放出する。この搬送コンベヤ110の縦搬送部109で硬貨を上方へ搬送し、縦搬送部109の上部から一時保留部38に放出する。【０２７５】
一時保留部38から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別後、回収硬貨分岐部124で分岐し、硬貨カセット92に送り込んで収納する。【０２７６】
また、図２０(d)に示すように、オーバーフロースタッカ91から繰り出された硬貨の移動動作後、硬貨カセット92のベルト100が回転し、硬貨カセット92内の硬貨を補充搬送路93の搬送コンベヤ110に放出する。この搬送コンベヤ110の縦搬送部109で硬貨を上方へ搬送し、縦搬送部109の上部から一時保留部38に放出する。【０２７７】
一時保留部38から硬貨を１枚ずつ入出金搬送路25に繰り出し、この入出金搬送路25内に繰り出した硬貨を１枚ずつベルト43で入金搬送方向F1に搬送し、この搬送する硬貨を識別部33で識別する。【０２７８】
識別部33での識別の結果、正常硬貨と識別された硬貨は、オーバーフロー硬貨分岐部121で分岐し、オーバーフロースタッカ91に送り込んで収納する。【０２７９】
識別部33での識別の結果、正常硬貨と識別されなかった硬貨は、リジェクト硬貨分岐部123で分岐し、運用リジェクトボックス104に送り込んで収納する。【０２８０】
このように構成された硬貨処理装置11では、入金繰出部31、複数の収納繰出部32、および一時保留部38のそれぞれに、水平方向に対して所定角度に傾斜する位置で回転する回転円盤60およびこの回転円盤60の表面側に硬貨を非整列状態で収納するホッパ61を備え、入出金搬送路25から硬貨を受け入れたり回転円盤60の回転によって硬貨を１枚ずつ入出金搬送路25へ繰り出す構成を用いたため、一度に大量の硬貨を取り扱うことができ、それでいて搬送構造が簡素化できて小型かつ安価に構成でき、硬貨詰まり等のトラブルの発生も低減でき、また、補充回収部14から硬貨を入出金部13に補充でき、大量の出金にも対応できるとともに、入出金部13から送り込まれる硬貨も収納したり回収でき、大量の硬貨の取扱いに対応できる。【０２８１】
なお、前記各実施の形態において、機体12の前部側に硬貨カセット92を着脱可能に配置し、機体12の後部側にオーバーフロースタッカ91を固定配置してもよい。【０２８２】
また、リジェクト硬貨の収納先は、オーバーフロースタッカ91の運用リジェクトボックス102および補充リジェクトボックス103と、硬貨カセット92の運用リジェクトボックス104および補充リジェクトボックス105とのいずれでもよく、運用方法に応じて選択設定できる。
【産業上の利用可能性】
【０２８３】
本発明は、小売りの店舗等で用いられる入金機能と出金機能を有する硬貨処理装置などに利用される。
【図１】
2009130774.tif 000003
【図２】
2009130774.tif 000004
【図３】
2009130774.tif 000005
【図４】
2009130774.tif 000006
【図５】
2009130774.tif 000007
【図６】
2009130774.tif 000008
【図７】
2009130774.tif 000009
【図８】
2009130774.tif 000010
【図９】
2009130774.tif 000011
【図１０】
2009130774.tif 000012
【図１１】
2009130774.tif 000013
【図１２】
2009130774.tif 000014
【図１３】
2009130774.tif 000015
【図１４】
2009130774.tif 000016
【図１５】
2009130774.tif 000017
【図１６】
2009130774.tif 000018
【図１７】
2009130774.tif 000019
【図１８】
2009130774.tif 000020
【図１９】
2009130774.tif 000021
【図２０】
2009130774.tif 000022
【国際調査報告】
2009130774.tif 000023
2009130774.tif 000024